(57)【要約】      （修正有）【課題】降雪地の家屋に配置して、融雪を促し、更にその凍結を少なくする軒先消雪構造体を、瓦棒などにおける溝底のある屋根に適するものとして提供する。【解決手段】軒先消雪構造体であって、水平枠体１の裏面にそって波板１０を配設し、前記水平枠体の表面の一端に山形を形成する金網支持体２を設けて、該金網支持体に金網３を張設するとともに、他端の前記表面を離れる上方位置に番線などの紐状体を係止自在の係止部５として設けるようにした。【選択図】図１
0003158675.tif 000002
【実用新案登録請求の範囲】
【請求項１】
水平枠体の裏面にそって波板を配設し、前記水平枠体の表面の一端に山形を形成する金網支持体を設けて前記金網支持体に金網を張設するとともに、他端の前記表面を離れる上方位置に番線などの紐体を係止自在の係止部を設けたことを特徴とする軒先消雪構造体。
【請求項２】
前記係止部は山形内に中空部を形成した係止体の上端に設け、該中空部にパイプやアングルなどの棒状体を挿通自在としたことを特徴とする請求項１記載の軒先消雪構造体。
【請求項３】
前記波板を反射体に構成したことを特徴とする請求項１または２記載の消雪構造体。
【考案の詳細な説明】
【技術分野】
【０００１】
本考案は、降雪地の家屋に配置して、融雪を促し、更にその凍結を少なくする軒先消雪構造体に関し、特に、瓦棒屋根等の溝底のある屋根に適した軒先消雪構造体に関する。
【背景技術】
【０００２】
従来、降雪地の家屋に配置して、融雪を促し、更にその凍結を少なくする軒先消雪構造体としては、例えば、登録実用新案公報第３００６５３３号に、水平枠体の裏面に沿って波板を配設するとともに、その表面に沿って金網を張設し、更に、前記水平枠体の表面の一端に山形を形成する金網支持体を設けて前記金網支持体に金網を張設したものが開示されている。この軒先消雪構造体によれば、屋根の軒先に滑落してくる雪が山形の金網支持体で止まり、軒先消雪構造体全体に亘って堆積した雪は日中の太陽熱により融雪し、自重によって金網によって細かく分割されながら、波板上に落下して積雪層の下側を伝って軒先の樋の方向に流れることになるため、金網により堆積された雪の融雪を促進させるばかりでなく、塊雪の落下による樋の破損ならびにこれによる危険の防止を図れるものとされている。
【０００３】
しかしながら、前記軒先消雪構造体は瓦棒屋根等の溝底に直接設置するものでないため、次のような不都合があった。即ち、軒先消雪構造体と溝底との間に空間が大きく生じ、その空間に凍結が生じ、ハゼ部が高い位置にある瓦棒屋根等においても、「すがもれ」と云われる、凍結雪で流れる箇所を遮られて屋根上に溜まった融雪水が金属屋根のハゼ部から回って起こる雨漏りの原因を作り出していた。また、この軒先消雪構造体を溝底の幅に合わせて作製し、直接溝底に設置しようとすると、これを設置するために番線等の紐状体で固定しようとする雪止めアングル等が瓦棒屋根等ではハゼ部より高いところに位置するので、軒先消雪構造体の後部、即ち、金網支持体と反対側の部分が持ち上がってしまい、設置が不安定になってしまうという問題が生じ、更に、持ち上がった部分の下に凍結が生じ、これも「すがもれ」の原因となる問題がある。また、軒先消雪構造体と溝底との間の空間に凍結が生じることで氷柱が発生することにもなり、それによる樋の破損の原因になっていた。
【先行技術文献】
【特許文献】
【０００４】
【特許文献１】登録実用新案公報第３００６５３３号
【考案の概要】
【考案が解決しようとする課題】
【０００５】
本考案は、前記課題を解消し、降雪地の家屋に配置して、融雪を促し、更にその凍結を少なくする軒先消雪構造体を、瓦棒屋根等の溝底のある屋根に適するものとして提供することを目的とするものである。
【課題を解決するための手段】
【０００６】
本考案者は、上記目的を達成するために鋭意研究の結果、下記の解決手段を見いだした。
即ち、本考案軒先消雪構造体は請求項１に記載の通り、水平枠体の裏面に沿って波板を配設し、前記水平枠体の表面の一端に山形を形成する金網支持体を設けて前記金網支持体に金網を張設するとともに、他端の前記表面を離れる上方位置に番線等の紐体を係止自在の係止部を設けたことを特徴とする。
また、請求項２記載の軒先消雪構造体は、請求項1記載の軒先消雪構造体において、前記係止部は山形内に中空部を形成した係止体の上端に設け、該中空部にパイプやアングルなどの棒状体を挿通自在としたことを特徴とする。
また、請求項３記載の軒先消雪構造体は、請求項１または２記載の軒先消雪構造体において、前記波板を反射体に構成したことを特徴とする。
【考案の効果】
【０００７】
本考案の軒先消雪構造体によれば、その水平枠体の他端の前記表面を離れる上方位置に番線等の紐体を係止自在の係止部を設けるようにしたため、軒先消雪構造体を雪止めアングルなどに紐状体で固定する際に、軒先消雪構造体には屋根に対する下向きの力が加わることになり、軒先消雪構造体が屋根から離れず、屋根との間に空間が形成されないため、瓦棒屋根等の溝底を有する屋根での融雪水の排水が促進され、凍結雪の量が減り、更に、融雪水が溜まることが回避される。
また、前記係止部を山形内に中空部を形成した係止体の上端に設け、該中空部にパイプやアングルなどの棒状体を挿通自在とした場合、これら棒状体によって複数の軒先消雪構造体を連結状態で雪止めアングルに連結固定でき、吹き溜まりの箇所や、日当たりの悪い箇所などに単体で分離して設置した場合に起こる、積雪荷重による耐久性の極端な不足を複数の軒先消雪構造体に分散させることで耐久性を高めることができる。
また、前記波板を反射体に構成した場合、太陽熱を利用した融雪が促進され、屋根からの排水がより促進される。
【図面の簡単な説明】
【０００８】
【図１】本考案軒先諸消雪構造体の一実施の形態の斜視図
【図２】本考案軒先諸消雪構造体の一実施の形態の屋根への設置状態を示す側面図の説明図
【考案を実施するための形態】
【０００９】
次に、本考案の実施の形態について説明する。
図１は本考案軒先消雪構造体の一実施の形態を示すもので、図中１は金属棒によって形成された矩形状の水平枠体を示し、該水平枠体１の裏面に沿って波体１０が配設されている。本実施の形態では前記波板１０はポリカーボネイトで構成した。前記水平枠体１の表面の一端に断面三角形状の山形を形成する金網支持体２を設け、この金網支持体２に金網３を張設するようにした。尚、前記金網支持体２金属棒によって形成するようにした。また、前記金網はラス金網を用いるようにした。
更に、前記水平枠体１の他端には、断面三角形状の中空の山形を形成する係止体４を設け、該山形の中空部６にパイプ３０を挿通自在とし、また、該係止体４の上端側を番線などの紐状体２０を係止自在の係止部５とした。尚、前記係止体４も金属棒によって形成するようにした。
尚、前記水平枠体１の先端側の裏面に、屋根５０への係合部１ａを設けるようにした。
【００１０】
図２は前記軒先消雪構造体の屋根への設置状態を示したもので、図中実線で示した紐状体２０で図略の雪止めアングルに連結固定した状態を示すもので、図中実線の矢印Ｆ１で示したように屋根側に向かう下向きの力（ダウンフォース）が得られる。また、図中破線で示した紐状体２０’で図略の雪止めアングルに連結固定した状態も示すもので、図中破線の矢印Ｆ２で示したように屋根側から離れる上側に向かう力が生じ、軒先消雪構造体と屋根との間に隙間が生じることが分かる。
【符号の説明】
【００１１】
１  水平枠体
１ａ係合部
２  金網支持体
３  金網
４  係止体
５  係止部
６  中空部
１０  波板
２０  紐状体
２０’紐状体
３０  パイプ
５０  屋根
Ｆ１  矢印
Ｆ２  矢印
【図１】
0003158675.tif 000003
【図２】
0003158675.tif 000004
【手続補正書】
【提出日】平成22年2月8日(2010.2.8)
【手続補正１】
【補正対象書類名】実用新案登録請求の範囲
【補正対象項目名】請求項３
【補正方法】変更
【補正の内容】
【請求項３】
前記波板を反射体に構成したことを特徴とする請求項１または２記載の軒先消雪構造体。